(57)【要約】【課題】ループ状の搬送路を備えることなく１つの印刷画像を得るための印刷を複数のパスに分割して行い、インクの乾燥を促進させる印刷装置を提供すること。【解決手段】プリンター（印刷装置）１は、ブラックインクを吐出する第１ライン型インクジェットヘッド２１と第５ライン型インクジェットヘッド４１を備える。第１ライン型インクジェットヘッド２１と第５ライン型インクジェットヘッド４１の間には、第２〜第４のライン型インクジェットヘッド２２〜２４が配設されている。従って、プリンター１では、画像を形成するための印刷を、第１ライン型インクジェットヘッドを駆動して行う第１のパスと、第５ライン型インクジェットヘッド４１を駆動して行う第２のパスに分割して、１回のパスにおけるインク滴の吐出量を減らすことができる。第１のパスと第２のパスが時間差で行われるので、インク滴の乾燥が促進される。【選択図】図２
2015150822.tif 000002
【特許請求の範囲】
【請求項１】
記録媒体を搬送する搬送部と、
第１の色のインクを吐出するノズルを有するライン型の第１のインクジェットヘッドと、
前記記録媒体の搬送方向で前記第１のインクジェットヘッドの下流に配設されて前記第１の色のインクとは異なる第２の色のインクを吐出するノズルを有するライン型の第２のインクジェットヘッドと、
前記搬送方向で前記第２のインクジェットヘッドの下流に配設されて前記第１の色のインクを吐出するノズルを有するライン型の第３のインクジェットヘッドと、
を備えることを特徴とする印刷装置。
【請求項２】
前記搬送方向で前記第２のインクジェットヘッドの下流に配設され、前記第３のインクジェットヘッドの上流に配設されて、前記第１の色のインクおよび前記第２の色のインクとは異なる第３の色のインクを吐出するノズルを有するライン型の第４のインクジェットヘッドを備える請求項１に記載の印刷装置。
【請求項３】
前記第１のインクジェットヘッドのノズルと、前記第３のインクジェットヘッドのノズルとは、前記搬送方向から見た場合に異なる位置に配設される請求項１または２に記載の印刷装置。
【請求項４】
前記第３のインクジェットヘッドの前記搬送方向の下流に配設されて、前記第１の色のインクよりも耐摩性および耐水性の高い光透過性のインクを吐出するノズルを有するライン型の第５のインクジェットヘッドを備える請求項１ないし３のいずれか１項に記載の印刷装置。
【請求項５】
第１の色のインクを吐出するノズルを第１の方向に複数有するライン型の第１のインクジェットヘッドと、
前記第１のインクジェットヘッドの前記第１の方向と交差する第２の方向に配設されて前記第１の色のインクとは異なる第２の色のインクを吐出するノズルを複数有するライン型の第２のインクジェットヘッドと、
前記第２のインクジェットヘッドの前記第２の方向に配設されて前記第１の色のインクを吐出するノズルを複数有するライン型の第３のインクジェットヘッドと、
を備えることを特徴とするインクジェットヘッドユニット。
【請求項６】
前記第２のインクジェットヘッドと前記第３のインクジェットヘッドとの間に配設されて、前記第１の色のインクおよび前記第２の色のインクとは異なる第３の色のインクを吐出するノズルを複数有するライン型の第４のインクジェットヘッドを備える請求項５に記載のインクジェットヘッドユニット。
【請求項７】
前記第１のインクジェットヘッドのノズルと、前記第３のインクジェットヘッドのノズルとは、前記第２の方向から見た場合に異なる位置に配設される請求項５または６に記載のインクジェットヘッドユニット。
【請求項８】
前記第３のインクジェットヘッドの前記第２の方向に配設されて、前記第１の色のインクよりも耐摩性および耐水性の高い光透過性のインクを吐出するノズルを複数有するライン型の第５のインクジェットヘッドを備える請求項５ないし７のいずれか１項に記載のインクジェットヘッドユニット。
【発明の詳細な説明】
【技術分野】
【０００１】
本発明は、複数のライン型のインクジェットヘッドを備えるインクジェットヘッドユニットを搭載する印刷装置、および、そのインクジェットヘッドユニットに関する。
【背景技術】
【０００２】
顔料インクには、記録用紙に定着したインクの耐擦性（インクの印刷媒体への定着性）および耐水性が高いものと低いものとが存在する。ここで、印刷に際して耐擦性および耐水性の低いインクを一度に大量に記録用紙に吐出した場合には、インクの乾きが遅くなり、印刷直後の印刷画像が接触や水滴の付着によって損傷しやすくなる。かかる印刷画像の損傷を防止するために、特許文献１に記載のプリンターでは、印刷に際してインクジェットヘッドによる印刷位置を経由するループ状の搬送路に沿って記録用紙を周回させて、印刷を複数回に分けて行なっている。すなわち、特許文献１では、１つの印刷画像を得るための印刷を複数のパスに分割し、これにより１回のパスにおいて記録用紙に向かって一度に吐出するインクの量を低減させて、インク滴の乾きを促進させている。
【先行技術文献】
【特許文献】
【０００３】
【特許文献１】特開２００６−２５６１６１号公報
【発明の概要】
【発明が解決しようとする課題】
【０００４】
特許文献１では、印刷用紙をループ状の搬送路に沿って周回させることにより、印刷を複数のパスに分割することを可能としている。しかし、印刷装置にループ状の搬送路を搭載するとすれば、装置の小型化が阻害されるという問題がある。
【０００５】
本発明の課題は、かかる問題点に鑑みて、ループ状の搬送路を備えることなく１つの印刷画像を得るための印刷を複数のパスに分割して行って、インクの乾きを促進できる印刷装置およびインクジェットヘッドユニットを提供することにある。
【課題を解決するための手段】
【０００６】
上記の課題を解決するために、本発明の印刷装置は、記録媒体を搬送する搬送部と、第１の色のインクを吐出するノズルを有するライン型の第１のインクジェットヘッドと、前記記録媒体の搬送方向で前記第１のインクジェットヘッドの下流に配設されて前記第１の色のインクとは異なる第２の色のインクを吐出するノズルを有するライン型の第２のインクジェットヘッドと、前記搬送方向で前記第２のインクジェットヘッドの下流に配設されて前記第１の色のインクを吐出するノズルを有するライン型の第３のインクジェットヘッドと、を備えることを特徴とする。
【０００７】
本発明の印刷装置は、第１の色のインクを吐出するインクジェットヘッドとして、第１のインクジェットヘッドと、第３のインクジェットヘッドを有する。従って、１つの印刷画像を得る印刷を、第１のインクジェットヘッドを駆動して行う第１のパスと、第２のインクジェットヘッドを駆動して行う第２のパスに分割できる。よって、１回のパスで記録媒体に向かって一度に吐出するインクの量を低減させて、記録媒体に吐出された第１の色のインクの乾きを促進できる。また、記録媒体の搬送方向において、第１のインクジェットヘッドと第３のインクジェットヘッドの間には、第２のインクジェットヘッドが配設される。これにより、第１のインクジェットヘッドと第３のインクジェットヘッドは離間した位置に配置されるので、第１のインクジェットヘッドが吐出したインクの記録媒体への着弾と第３のインクジェットが吐出したインクの記録媒体への着弾との間に時間差が生じる。従って、この時間差により、インクの乾燥が促進される。
【０００８】
本発明において、カラー印刷を行うためには、前記搬送方向で前記第２のインクジェットヘッドの下流に配設され、前記第３のインクジェットヘッドの上流に配設されて、前記第１の色のインクおよび前記第２の色のインクとは異なる第３の色のインクを吐出するノズルを有するライン型の第４のインクジェットヘッドを備えることが望ましい。本発明によれば、第４のインクジェットヘッドの配設によって第１のインクジェットヘッドと第３のインクジェットヘッドの間の距離が長くなる。従って、第１のインクジェットヘッドが吐出したインクの記録媒体への着弾と、第３のインクジェットヘッドが吐出したインクの記録媒体への着弾との間の時間差が大きくなる。従って、インクの乾燥を促進できる。
【０００９】
本発明において、前記第１のインクジェットヘッドのノズルと、前記第３のインクジェットヘッドのノズルとは、前記搬送方向から見た場合に異なる位置に配設されることが望ましい。本発明によれば、第１のインクジェットヘッドが吐出したインクの記録媒体上の着弾位置と、第３のインクジェットが吐出したインクの記録媒体上の着弾位置をずらすことができる。従って、各インクの乾燥を促進できる。
【００１０】
本発明において、前記第３のインクジェットヘッドの前記搬送方向の下流に配設されて、前記第１の色のインクよりも耐摩性および耐水性の高い光透過性のインクを吐出するノズルを有するライン型の第５のインクジェットヘッドを備えるものとすることができる。本発明によれば、第５のインクジェットヘッドから吐出した光通過性のインクで、第１のインクジェットヘッドが吐出したインクが形成した記録媒体上のドットおよび第３のインクジェットが吐出したインクにより形成された記録媒体上のドットを被い、印刷画像の耐摩性および耐水性を向上させることができる。
【００１１】
次に、本発明のインクジェットヘッドユニットは、第１の色のインクを吐出するノズルを第１の方向に複数有するライン型の第１のインクジェットヘッドと、前記第１のインクジェットヘッドの前記第１の方向と交差する第２の方向に配設されて前記第１の色のインクとは異なる第２の色のインクを吐出するノズルを複数有するライン型の第２のインクジェットヘッドと、前記第２のインクジェットヘッドの前記第２の方向に配設されて前記第１の色のインクを吐出するノズルを複数有するライン型の第３のインクジェットヘッドと、を備えることを特徴とする。
【００１２】
本発明のインクジェットヘッドユニットは、第１の色のインクを吐出するインクジェットヘッドとして、第１のインクジェットヘッドと、第３のインクジェットヘッドを有する。従って、インクジェットヘッドユニットを印刷装置に搭載すれば、１つの印刷画像を得る印刷を、第１のインクジェットヘッドを駆動して行う第１のパスと、第２のインクジェットヘッドを駆動して行う第２のパスに分割できる。よって、１回のパスで記録媒体に向かって一度に吐出するインクの量を低減させて、記録媒体に吐出された第１の色のインクの乾きを促進できる。また、記録媒体の搬送方向において、第１のインクジェットヘッドと第３のインクジェットヘッドの間には、第２のインクジェットヘッドが配設される。これにより、第１のインクジェットヘッドと第３のインクジェットヘッドは離間した位置に配置されるので、第１のインクジェットヘッドが吐出したインクの記録媒体への着弾と第３のインクジェットが吐出したインクの記録媒体への着弾との間に時間差が生じる。従って、この時間差により、インクの乾燥が促進される。
【００１３】
本発明において、カラー印刷を行うためには、前記第２のインクジェットヘッドと前記第３のインクジェットヘッドとの間に配設されて、前記第１の色のインクおよび前記第２の色のインクとは異なる第３の色のインクを吐出するノズルを複数有するライン型の第４のインクジェットヘッドを備えるものとすることができる。本発明によれば、第４のインクジェットヘッドの配設によって第１のインクジェットヘッドと第３のインクジェットヘッドの間の距離が長くなる。従って、第１のインクジェットヘッドが吐出したインクの記録媒体への着弾と、第３のインクジェットが吐出したインクの記録媒体への着弾との間の時間差が大きくなる。よって、インクの乾燥を促進できる。
【００１４】
本発明において、前記第１のインクジェットヘッドのノズルと、前記第３のインクジェットヘッドのノズルとは、前記第２の方向から見た場合に異なる位置に配設されることが望ましい。本発明によれば、第１のインクジェットヘッドが吐出したインクの記録媒体上の着弾位置と、第３のインクジェットが吐出したインクの記録媒体上の着弾位置をずらすことができる。従って、各インクの乾燥を促進できる。
【００１５】
本発明において、前記第３のインクジェットヘッドの前記第２の方向に配設されて、前記第１の色のインクよりも耐摩性および耐水性の高い光透過性のインクを吐出するノズルを複数有するライン型の第５のインクジェットヘッドを備えるものとすることができる。本発明によれば、第５のインクジェットヘッドから吐出した光通過性のインクで、第１のインクジェットヘッドが吐出したインクが形成した記録媒体上のドットおよび第３のインクジェットが吐出したインクにより形成された記録媒体上のドットを被い、印刷画像の耐摩性および耐水性を向上させることができる。
【図面の簡単な説明】
【００１６】
【図１】本発明を適用したプリンターの主要部の概略構成図である。
【図２】印刷ヘッドにおけるノズルの配列の説明図である。
【図３】プリンターの制御系の概略ブロック図である。
【図４】変形例の印刷ヘッドにおけるノズルの配列の説明図である。
【発明を実施するための形態】
【００１７】
以下に、図面を参照して、本発明を適用したプリンターを説明する。
【００１８】
（プリンター）
図１はプリンターの主要部の概略構成図である。図２は印刷ヘッドにおけるノズルの配列の説明図である。図１に示すように、プリンター（印刷装置）１は、印刷ヘッド５と、印刷ヘッド５による印刷位置Ａを経由して延びる紙搬送路６と、紙搬送路６に沿って記録用紙（記録媒体）Ｐを搬送する搬送機構７を備える。搬送機構７は、印刷ヘッド５の鉛直方向の下方で印刷ヘッド５と所定のギャップを開けて対峙するプラテンユニット８に搭載される。搬送機構７は、複数のガイドローラー９および駆動ローラー１０に架け渡された無端の搬送ベルト１１と、駆動ローラー１０を回転させることにより搬送ベルト１１を回転させる搬送モーター１２を備える。搬送機構７は、搬送モーター１２の駆動で記録用紙Ｐを所定の速度で搬送する。
【００１９】
図２に示すように、印刷ヘッド５（インクジェットヘッドユニット）は、４組のライン型インクジェットヘッドを有する第１複合インクジェットヘッド１６および第２複合インクジェットヘッド１７を備える。記録用紙Ｐの搬送方向Ｂで第１複合インクジェットヘッド１６は第２複合インクジェットヘッド１７よりも上流に配置される。
【００２０】
第１複合インクジェットヘッド１６は、搬送方向（第２の方向）Ｂに沿って所定の間隔で配列された４組のライン型インクジェットヘッド２１〜２４を備える。記録用紙Ｐの搬送方向Ｂの最上流に位置する第１ライン型インクジェットヘッド２１はブラックインクを吐出し、その下流側の第２ライン型インクジェットヘッド２２はシアンインクを吐出する。また、第２ライン型インクジェットヘッド２２の下流側の第３ライン型インクジェットヘッド２３はマゼンタインクを吐出し、その下流側の第４ライン型インクジェットヘッド２４はイエローインクを吐出する。
【００２１】
第１ライン型インクジェットヘッド２１は、ブラックインクを吐出する複数の第１ノズル３１が搬送方向Ｂと交差する交差方向（第１の方向）Ｃに配列された第１ノズル列３６を備える。第２ライン型インクジェットヘッド２２はシアンインクを吐出する複数の第２ノズル３２が交差方向Ｃに配列された第２ノズル列３７を備える。第３ライン型インクジェットヘッド２３はマゼンタインクを吐出する複数の第３ノズル３３が交差方向Ｃに配列された第３ノズル列３８を備える。第４ライン型インクジェットヘッド２４はイエローインクを吐出する複数の第４ノズル３４が交差方向Ｃに配列された第４ノズル列３９を備える。第１ノズル列３６を構成する各第１ノズル３１、第２ノズル列３７を構成する各第２ノズル３２、第３ノズル列３８を構成する各第３ノズル３３および第４ノズル列３９を構成する各第４ノズル３４は、搬送方向Ｂから見た場合に、重なる位置に設けられる。
【００２２】
第２複合インクジェットヘッド１７は、搬送方向Ｂに沿って所定の間隔で配列された４組のライン型インクジェットヘッド４１〜４４を備える。記録用紙Ｐの搬送方向Ｂの最上流に位置する第５ライン型インクジェットヘッド４１はブラックインクを吐出し、その下流側の第６ライン型インクジェットヘッド４２はシアンインクを吐出する。また、第７ライン型インクジェットヘッド４２の下流側の第３ライン型インクジェットヘッド４３はマゼンタインクを吐出し、その下流側の第８ライン型インクジェットヘッド４４はイエローインクを吐出する。
【００２３】
第５ライン型インクジェットヘッド４１は、ブラックインクを吐出する複数の第５ノズル５１が交差方向Ｃに配列された第５ノズル列５６を備える。第６ライン型インクジェットヘッド４２はシアンインクを吐出する複数の第６ノズル５２が交差方向Ｃに配列された第６ノズル列５７を備える。第７ライン型インクジェットヘッド４３はマゼンタインクを吐出する複数の第７ノズル５３が交差方向Ｃに配列された第７ノズル列５８を備える。第８ライン型インクジェットヘッド４４はイエローインクを吐出する複数の第８ノズル５４が交差方向Ｃに配列された第８ノズル列５９を備える。
【００２４】
第２複合インクジェットヘッド１７の各ノズル５１〜５４の交差方向Ｃでのノズル間隔Ｄは、第１複合インクジェットヘッド１６の各ノズル５１〜５４の交差方向Ｃでのノズル間隔Ｄと等しい。また、第５ノズル列５６を構成する各第５ノズル５１、第６ノズル列５７を構成する各第６ノズル５２、第７ノズル列５８を構成する各第７ノズル５３および第８ノズル列５９を構成する各第８ノズル５４は、搬送方向Ｂから見た場合に重なる位置に設けられる。
【００２５】
ここで、第２複合インクジェットヘッド１７の各ノズル５１〜５４は、搬送方向Ｂから見た場合に、第１複合インクジェットヘッド１６の各ノズル３１〜３４の間に位置する。すなわち、第２複合インクジェットヘッド１７の各ノズル５１〜５４は、第１複合インクジェットヘッド１６の各ノズル３１〜３４から、ノズル間隔Ｄの１／２交差方向Ｃにオフセットした位置に設けられる。
【００２６】
（制御系）
図３はプリンター１の制御系の概略ブロック図である。プリンター１の制御系は、ＣＰＵを備える制御部６１で構成される。制御部６１にはコンピューターなどの外部の機器とプリンター１を通信可能に接続する通信部６２が接続される。通信部６２は、外部の機器から供給される画像データを受信して、制御部６１に入力する。制御部６１には、印刷ヘッド５および搬送モーター１２が不図示のデバイスドライバーを介して接続される。また、制御部６１にはメモリー６３が接続される。メモリー６３には色処理ルックアップテーブル６４、ＳＭＬテーブル６５が記憶保持される。制御部６１は画像処理部６６と印刷制御部６７を備える。
【００２７】
画像処理部６６は、レンダリング部６６ａ、色変換部６６ｂ、ハーフトーン処理部６６ｃ、および、印刷データ生成部６６ｄを備える。
【００２８】
レンダリング部６６ａは、制御部６１に入力された画像データをレンダリング処理し、画像データの各画素をＲＧＢ多値データに変換する。色変換部６６ｂは、ＲＧＢ多値データが生成されると、色処理ルックアップテーブル６４を参照して各画素のＲＧＢ多値データを各インク滴のインク量データに変換する。色処理ルックアップテーブル６４は、Ｒ・Ｇ・Ｂの組合せで構成される色と、各インク滴のインク量データとを対応付けて記憶保持する。ハーフトーン処理部６６ｃは、インク量データが生成されると、各画素を形成する各インク滴のインク量データを、ＳＭＬテーブル６５に基づいて、インクを吐出しない空白ドットと径の大きさの異なる３種類インク滴の割合を示すドット割合データに変換する。ＳＭＬテーブル６５は各インク量データに基づく色の階調値と、空白ドット、小ドット、中ドット、大ドットの３種類のドットの使用割合とを対応付けて記憶保持する。
【００２９】
印刷データ生成部６６ｄは、ハーフトーン処理部６６ｃで生成されたドット割合データからプリンター１が解釈可能な形式の印刷データを生成する。印刷データは、印刷ヘッド５の各ノズルからインクを吐出させるコマンド群であって、駆動するノズルと、そのノズルから吐出するインク滴のドットサイズを設定する。
【００３０】
ここで、印刷データ生成部６６ｄは、記録用紙Ｐに形成する各画素を２パスで印刷（２回に分割して印刷）する印刷データを生成する。すなわち、印刷データ生成部６６ｄは、各画素のドット割合データに基づいて、第１ライン型インクジェットヘッド２１の第１ノズル列３６から駆動する第１ノズル３１を選択して当該ノズル３１から吐出するインク滴のドットサイズを設定し、第５ライン型インクジェットヘッド４１の第５ノズル列５６から駆動するノズル５１を選択して当該ノズル５１から吐出するインク滴のドットサイズを設定する印刷データを生成する。これにより、印刷データ生成部６６ｄは、第１ライン型インクジェットヘッド２１のノズル３１から吐出するインク滴のドットサイズ、および、第５ライン型インクジェットヘッド４１のノズル５１から吐出するインク滴のドットサイズを、当該画素を第１ライン型インクジェットヘッド２１のノズル３１を駆動して形成する場合のインク滴のドットサイズと比較して小さくした印刷データを生成する。
【００３１】
また、印刷データ生成部６６ｄは、各画素のドット割合データに基づいて、第２ライン型インクジェットヘッド２２の第２ノズル列３７から駆動するノズル３２を選択して当該ノズル３２から吐出するインク滴のドットサイズを設定し、第６ライン型インクジェットヘッド４２の第６ノズル列５７から駆動するノズル５２を選択して当該ノズル５２から吐出するインク滴のドットサイズを設定する印刷データを生成する。同様に、各画素のドット割合データに基づいて、第３ライン型インクジェットヘッド２３の第３ノズル列３８から駆動するノズル３３を選択して当該ノズル３３から吐出するインク滴のドットサイズを設定し、第７ライン型インクジェットヘッド４３の第７ノズル列５８から駆動するノズル５３を選択して当該ノズル５３から吐出するインク滴のドットサイズを設定する印刷データを生成する。また、各画素のドット割合データに基づいて、第４ライン型インクジェットヘッド２４の第４ノズル列３９から駆動するノズル３４を選択して当該ノズル３４から吐出するインク滴のドットサイズを設定し、第８ライン型インクジェットヘッド４４の第８ノズル列５９から駆動するノズル５４を選択して当該ノズル５４から吐出するインク滴のドットサイズを設定する印刷データを生成する。
【００３２】
（印刷処理）
プリンター１が外部の機器から画像データの供給を受けると、画像処理部６６は、画像データを、ＲＧＢ多値データ、各インク滴のインク量データ、ドット割合データへこの順番で変換する。また、画像処理部６６はドット割合データに基づいて印刷データを生成する。
【００３３】
印刷データが生成されると、印刷制御部６７は、搬送モーター１２を駆動して記録用紙Ｐを搬送路に沿って所定の速度で搬送する。また、印刷データに基づいて印刷ヘッド５を駆動して、印刷位置Ａを搬送される記録用紙Ｐに印刷を行う。
【００３４】
ここで、本例では、画像データの各画素を２パスで印刷する。従って、１回のパスで記録用紙Ｐに向かって一度に吐出するインク滴の量を低減させて、記録用紙Ｐに吐出されたインク滴の乾きを促進できる。
【００３５】
また、本例では、記録用紙Ｐの搬送方向Ｂで、同じ色インクを吐出する２つのライン型インクジェットヘッド２１〜２４、４１〜４４の間には、異なる色インクを吐出する３つのライン型インクジェットヘッドが配設される。この結果、同じ色インクを吐出する２つのライン型インクジェットヘッド２１〜２４、４１〜４４は離間した位置に配置され、搬送方向Ｂの上流に位置するライン型インクジェットヘッド３１〜３４が吐出したインク滴の記録用紙Ｐへの着弾と、搬送方向Ｂの下流に位置するライン型インクジェットヘッド４１〜４４から吐出したインク滴の記録用紙Ｐへの着弾との間に時間差が生じる。従って、この時間差により、インク滴の乾燥が促進される。
【００３６】
さらに、本例では、同じ色インクを吐出する２つのライン型インクジェットヘッド２１〜２４、４１〜４４では、搬送方向Ｂから見た場合に各ノズル３１〜３４と、各ノズル５１〜５４とが異なる位置に設けられる。この結果、同じ色インクを吐出する２つのライン型インクジェットヘッド２１〜２４、４１〜４４の各ノズル３１〜３４、５１〜５４から吐出させたインク滴の記録用紙Ｐ上の着弾位置をずらすことができるので、各インク滴の乾燥を促進できる。
【００３７】
（変形例）
図４は変形例の印刷ヘッドの概略構成図である。なお、本例の印刷ヘッド（インクジェットヘッドユニット）５Ａは、上記の例の印刷ヘッド５と同様の構成を備えているので、対応する構成には同一の符号を付して、その説明を省略する。
【００３８】
本例では、第２複合インクジェットヘッド１７における搬送方向Ｂの最下流に、各色インクよりも耐摩性および耐水性の高い光透過性のインクを吐出する第９ライン型インクジェットヘッド７０が配設される。第９ライン型インクジェットヘッド７０は、光透過性のインクを吐出する複数の第９ノズル７１が交差方向Ｃに配列された第９ノズル列７２を備える。本例では、各第９ノズル７１は、搬送方向Ｂから見た場合に、第１複合インクジェットヘッド１６の各ノズル３１〜３４と重なる位置に設けられる。
【００３９】
ここで、本例の印刷ヘッド５Ａを搭載するプリンター（印刷装置）では、画像処理部６６の印刷データ生成部６６ｄは、画像データに基づいて、記録用紙Ｐに形成する各画素を２パスで印刷（２回に分割して印刷）する印刷データを生成し、記録用紙Ｐ上の画素の形成領域に対して第９ライン型インクジェットヘッド７０の各第９ノズル７１を駆動して大ドットの光透過性のインクを吐出する印刷データを生成する。そして、印刷時には、第９ライン型インクジェットヘッド７０の各第９ノズル７１から光透過性のインクを吐出して、記録用紙Ｐに形成された印刷画像を光透過性のインクで被う。従って、本例では、１回のパスで記録用紙Ｐに向かって一度に吐出するインク滴の量を低減させて、記録用紙Ｐに吐出されたインク滴の乾きを促進できる。また、光透過性のインクで印刷画像を被い、その耐摩性および耐水性を向上させることができる。
【符号の説明】
【００４０】
１・・プリンター、２・・コンピューター、５・５Ａ・・印刷ヘッド（インクジェットヘッドユニット）、６・・紙搬送路、７・・搬送機構、８・・プラテンユニット、９・・ガイドローラー、１０・・駆動ローラー、１１・・搬送ベルト、１２・・搬送モーター、１６・・第１複合インクジェットヘッド、１７・・第２複合インクジェットヘッド、２１〜２４・・第１〜第４ライン型インクジェットヘッド、３１〜３４・・第１〜第４ノズル、３６〜３９・・第１〜第４ノズル列、４１〜４４・・第５〜第８ライン型インクジェットヘッド、５１〜５４・・第５〜第８ノズル、５６〜５９・・第５〜第８ノズル列、６１・・制御部、６２・・通信部、６３・・メモリー、６４・・色処理ルックアップテーブル、６５・・ＳＭＬテーブル、６６・・画像処理部、６６ａ・・レンダリング部、６６ｂ・・色変換部、６６ｄ・・印刷データ生成部、６６ｃ・・ハーフトーン処理部、６７・・印刷制御部、７０・・第９インクジェットヘッド（第５のインクジェットヘッド）、７１・・第９ノズル、７２・・第９ノズル列、Ａ・・印刷位置、Ｂ・・搬送方向（第２の方向）、Ｃ・・交差方向（第１の方向）、Ｄ・・ノズル間隔、Ｐ・・記録用紙（記録媒体）
【図１】
2015150822.tif 000003
【図２】
2015150822.tif 000004
【図３】
2015150822.tif 000005
【図４】
2015150822.tif 000006